(57)【特許請求の範囲】
【請求項１】
遊技球が流下可能な遊技領域を有する遊技盤の前面で開放し且つ奥側に遊技球の入球を確定させる入球確定部を有した前面開放入球部と、
前記前面開放入球部の奥側に退避した退避位置と、前記前面開放入球部の開口から前側に突出した突出位置との間を移動可能であって、前記突出位置に配置されたときに、前記遊技領域を流下してきた遊技球を下方から受け止めて前記入球確定部へ案内可能な球受けガイド部材と、を備えた遊技機において、
前記球受けガイド部材の上方には、左右方向に延びた回動軸を中心にして回動可能な押出部材が備えられ、
前記押出部材には、
前記球受けガイド部材が前記突出位置から前記退避位置へ移動するときに、前記回動軸と前記球受けガイド部材との間を、前記球受けガイド部材とすれ違う方向に回動して、前記球受けガイド部材に受け止められた遊技球を前側に押し出し可能な押出部が備えられていることを特徴とする遊技機。
【発明の詳細な説明】
【技術分野】
【０００１】
本発明は、遊技領域を流下してきた遊技球を受け止めて入球口へと案内する球受けガイド部材を備えた遊技機に関する。
【背景技術】
【０００２】
従来、この種の遊技機として、遊技盤の前面で開放した入球口から前後方向に進退する球受けガイド部材を備え、球受けガイド部材が入球口から前側に突出したときに遊技球を受け止めて入球口の奥側の入球確定部へ案内するものが知られている（例えば、特許文献１参照）。
【先行技術文献】
【特許文献】
【０００３】
【特許文献１】特開２０１０−１３１３７９号公報（図６）
【発明の概要】
【発明が解決しようとする課題】
【０００４】
しかしながら、上述した従来の遊技機では、多くの遊技球が同時に球受けガイド部材に受け止められると、入球口で球詰まりが発生するという問題があった。
【０００５】
本発明は、上記事情に鑑みてなされたもので、入球口での球詰まりを抑制することが可能な遊技機の提供を目的とする。
【課題を解決するための手段】
【０００６】
上記目的を達成するためになされた請求項１の発明は、 遊技球が流下可能な遊技領域を有する遊技盤の前面で開放し且つ奥側に遊技球の入球を確定させる入球確定部を有した前面開放入球部と、前記前面開放入球部の奥側に退避した退避位置と、前記前面開放入球部の開口から前側に突出した突出位置との間を移動可能であって、前記突出位置に配置されたときに、前記遊技領域を流下してきた遊技球を下方から受け止めて前記入球確定部へ案内可能な球受けガイド部材と、を備えた遊技機において、前記球受けガイド部材の上方には、左右方向に延びた回動軸を中心にして回動可能な押出部材が備えられ、前記押出部材には、前記球受けガイド部材が前記突出位置から前記退避位置へ移動するときに、前記回動軸と前記球受けガイド部材との間を、前記球受けガイド部材とすれ違う方向に回動して、前記球受けガイド部材に受け止められた遊技球を前側に押し出し可能な押出部が備えられていることを特徴とする遊技機である。
【０００７】
請求項１の発明では、球受けガイド部材が突出位置から退避位置へ移動するときに、球受けガイド部材に受け止められた遊技球については、押出部材により前側に押し出されて入球が阻まれる。このように、本発明によれば、複数の遊技球が球受けガイド部材に受け止められた場合であっても、一部の遊技球については、前側に押し出して入球を阻むので、前面開放入球部での球詰まりを抑制することが可能となる。
【図面の簡単な説明】
【００２０】
【図１】本発明の第１実施形態に係るパチンコ遊技機の正面図
【図２】遊技盤の正面図
【図３】複合入賞ユニットの斜視図
【図４】複合動入賞ユニットの分解斜視図
【図５】サイド始動入賞口ユニットの斜視図
【図６】ソレノイドがオフしたときのサイド始動入賞口ユニットの側断面図
【図７】ソレノイドがオンしたときのサイド始動入賞口ユニットの側断面図
【図８】球受けガイド部材の平面図
【図９】突出位置に配置された球受けガイド部材周辺の側断面図
【図１０】退避位置に配置された球受けガイド部材周辺の側断面図
【図１１】第２実施形態に係る球受けガイド部材周辺の側断面図
【図１２】退避位置に配置された球受けガイド部材周辺の側断面図
【図１３】（Ａ）第３実施形態に係る球受けガイド部材が退避位置に配置されたときの球受けガイド部材周辺の側面図、（Ｂ）突出位置に配置された球受けガイド部材周辺の側面図
【図１４】変形例に係る球受けガイド部材周辺の側断面図
【図１５】（Ａ）変形例に係る球受けガイド部材が退避位置に配置されたときの球受けガイド部材周辺の側断面図、（Ｂ）突出位置に配置された球受けガイド部材周辺の側断面図
【発明を実施するための形態】
【００２１】
［第１実施形態］
以下、本発明をパチンコ遊技機に適用した第１実施形態を図１〜図１０に基づいて説明する。図１に示すように、本実施形態のパチンコ遊技機１０（以下、単に、遊技機１０という。）は、前面が前面枠１０Ｚにて覆われており、その前面枠１０Ｚに形成されたガラス窓１０Ｗを通して遊技盤１１の遊技領域Ｒ１が視認可能になっている。
【００２２】
前面枠１０Ｚのうちガラス窓１０Ｗより下方には、上皿２６及び下皿２７が上下２段にして設けられ、下皿２７の右側には操作ノブ２８が設けられている。操作ノブ２８を回動操作すると、上皿２６に収容された遊技球が遊技領域Ｒ１に向けて弾き出される。
【００２３】
図２に示すように、遊技領域Ｒ１は全体が略円形状となっていて、ガイドレール１２により囲まれている。遊技盤１１のうち遊技領域Ｒ１の中央には、遊技盤表示窓１１Ｈが貫通形成され、この遊技盤表示窓１１Ｈを通して、表示装置１３の表示画面１３Ｇが前方に臨んでいる。
【００２４】
遊技盤表示窓１１Ｈの開口縁には、表示装飾枠２３が取り付けられている。表示装飾枠２３は、遊技盤１１の前面側から遊技盤表示窓１１Ｈに嵌め込まれて遊技盤１１の前面から突出し、遊技領域Ｒ１を流下する遊技球が表示装飾枠２３の内側に進入することを規制している。
【００２５】
遊技領域Ｒ１のうち表示装飾枠２３の下方における左右方向の中央部には、センター始動入賞口１４Ａ，大入賞口１５及びアウト口１６が、上から順に並べて設けられている。大入賞口１５は、前方に開口した横長の開口部を有し、常にはその開口部が回動扉１５Ｔにて閉塞されている。また、センター始動入賞口１４Ａは、ポケット構造をなし、その上面の開口部に遊技球が入球すると当否判定が行われて、その当否判定結果が表示画面１３Ｇにて表示される。そして、当否判定結果が当りになると、複数ラウンドに亘って所定期間（例えば、１０秒）、回動扉１５Ｔが前方に倒れて大入賞口１５に遊技球が入賞可能となる大当り遊技が実行される。
【００２６】
表示装飾枠２３の右側には、始動ゲート１８とサイド始動入賞口１４Ｂとが上から順に設けられている。サイド始動入賞口１４Ｂは、遊技球が１つだけ通過可能な幅を有して前方に向けて開口し、その下端部には前後方向にスライド可能な球受けガイド部材１４０が備えられている。球受けガイド部材１４０は、常にはサイド始動入賞口１４Ｂの開口縁より後方に位置している。始動ゲート１８は、遊技球が潜って通過可能な門形構造をなし、遊技球が始動ゲート１８を通過すると当否判定が行われ、その当否判定結果が当りになると、球受けガイド部材１４０が前方にスライドし、上方から流下する遊技球を受け止めてサイド始動入賞口１４Ｂへと案内する。サイド始動入賞口１４Ｂに遊技球が入賞すると、当否判定が行われ、その当否判定結果が大当りの場合には、上述した大当り遊技が実行され、当否判定結果が小当りの場合には、後述する特別入賞口１７を開放する。
【００２７】
表示装飾枠２３の右下には、遊技盤１１の前面から突出した球受ブロック１５０が備えられ、その球受ブロック１５０の上面が転動路１５１になっている。転動路１５１は、遊技球１つ分の幅をなして左右方向に延びかつ左側に緩やかに下っている。そして、転動路１５１は、表示装飾枠２３の右側の流下領域を流下してきた遊技球を受け止め、表示装飾枠２３の下方領域へと案内する。
【００２８】
図３に示すように、転動路１５１における終端寄り位置には、転動路１５１の一部を遊技球複数個分に亘って切り欠くことで特別入賞口１７が形成され、通常は可動扉１７Ｔにて閉塞されている。そして、上述したサイド始動入賞口１４Ｂへの遊技球の入賞に起因して行われる当否判定で小当りになると、可動扉１７Ｔが開いて特別入賞口１７に遊技球が入賞可能になる小当り遊技が実行される。
【００２９】
なお、センター始動入賞口１４Ａ、サイド始動入賞口１４Ｂ、大入賞口１５、特別入賞口１７に遊技球が入球すると、所定数の賞球が上皿２６に払い出される。また、上記の入賞口の何れにも入球しなかった遊技球は、遊技領域Ｒ１の下端に配置されたアウト口１６に取り込まれる。
【００３０】
ここで、本実施形態では、サイド始動入賞口１４Ｂが本発明の「前面開放入球部」に相当する。以下、サイド始動入賞口１４Ｂについて詳説する。
【００３１】
図３に示すように、サイド始動入賞口１４Ｂは、複合入賞ユニット２５の一部として備えられている。具体的には、複合入賞ユニット２５は、全体が透明な樹脂で構成された支持ベース１５３に複数の部品を組み付けてなり、サイド始動入賞口１４Ｂは、支持ベース１５３の後面にサイド始動入賞口ユニット３０を重ねて固定することにより、支持ベース１５３に組み付けられる。なお、図４に示すように、支持ベース１５３は、転動路１５１を挟んで前後方向で対向するフロントプレート１５４とバックプレート１６０とを有し、サイド始動入賞口ユニット３０はバックプレート１６０の後面に重ねられる。バックプレート１６０には、サイド始動入賞口１４Ｂの開口部分を構成するプレート開口１６０Ａ（本発明の「前面開放入球部の開口」に相当する。）が貫通形成されている。そして、遊技盤１１に貫通形成された図示しないユニット取付孔の開口縁にバックプレート１６０の外縁部が前側から重ねられてビス留めされている。
【００３２】
図５に示すように、サイド始動入賞口ユニット３０は、ハウジング３１に、球受けガイド部材１４０と、ソレノイド３２と、ソレノイド３２の動力を球受けガイド部材１４０に伝達するための直動リンク３３及び第１回動レバー４０と、が組み付けられた構造になっている。
【００３３】
ソレノイド３２は、励磁用コイルの外側をケースで覆ってなるボディ３２Ａに対して前後方向に直動するプランジャ３２Ｂを備えている。プランジャ３２Ｂの前端部には、側方に張り出したフランジ部３２Ｆが設けられ、このフランジ部３２Ｆとボディ３２Ａとの間に、図示しない圧縮コイルばねが備えられている。プランジャ３２Ｂは、ソレノイド３２がオフしているとき、圧縮コイルばねによって可動ストロークの前端に配置され（図６参照）、ソレノイド３２がオンしているとき、圧縮コイルばねの付勢力に抗して可動ストロークの後端に配置される（図７参照）。
【００３４】
図６及び図７に示すように、直動リンク３３は、プランジャ３２Ｂに取り付けられて、プランジャ３２Ｂと一体に前後方向に直動する。即ち、直動リンク３３は、ソレノイド３２がオフした状態で、可動ストロークの前端に配置され、ソレノイド３２がオンすると、可動ストロークの後端に配置される。詳細には、直動リンク３３は、フランジ部３２Ｆに装着されるジャケット３４と、ジャケット３４から前方に突出した連結盤３５とで構成されている。ジャケット３４は、前後方向に扁平な形状をなし、上方に開放してフランジ部３２Ｆを受容する受容溝３４Ｍ（図５参照）を有している。連結盤３５は、上下方向に扁平な形状をなし、ジャケット３４の上下方向の中間位置に配置されている。連結盤３５には、後側から順に、第１連結孔３６と第２連結孔３７が上下方向に貫通形成されている。
【００３５】
詳細には、図５及び図６に示すように、連結盤３５は、ジャケット３４から突出し且つ左右方向で対向した１対の側部対向壁３５Ｓ，３５Ｓ（図５及び図６には、一方の側部対向壁３６Ｓのみが示されている。）と、それら１対の側部対向壁３５Ｓ，３５Ｓの間を連絡する前端連絡壁３５Ａ、中間連絡壁３５Ｂ、後端連絡壁３５Ｃとで構成されている。そして、前端連絡壁３５Ａと中間連絡壁３５Ｂとの間に上述の第２連結孔３７が形成され、中間連絡壁３５Ｂと後端連絡壁３５Ｃとの間に第１連結孔３６が形成されている。
【００３６】
図５に示すように、第１回動レバー４０は、左右方向に延びた第１回動シャフト４１の両側部から１対の第１アーム４２，４２（図５には、一方の第１アーム４２のみが示されている。）が下方に延びた門形形状をなしている。第１回動レバー４０は、第１回動シャフト４１の両端から突出した支軸４１Ｊがハウジング３１に回転自在に支持されることで、第１回動シャフト４１の中心軸回りに回動可能となっている。
【００３７】
図６に示すように、第１回動レバー４０には、第１回動シャフト４１から上方に突出して第１連結孔３６に受容される連結突部４３が設けられている。第１連結突部４３は、直動リンク３３の移動に伴って前後に移動する。具体的には、図６から図７への変化に示すように、ソレノイド３２がオンして直動リンク３３が後方に移動すると、第１連結突部４３が第１連結孔３６の内周面の前側部分（即ち、中間連絡壁３５Ｂ）に押されて後方へ移動する。これにより、第１回動レバー４０が図５の時計方向に回動し、第１アーム４２の下端部が前方へ移動する。反対に、ソレノイド３２がオフして直動リンクが前方へ移動すると、図７から図６への変化に示すように、第１連結突部４３が第１連結孔３６の内周面の後側部分（即ち、後端連絡壁３５Ｃ）に押されて前方へ移動し、第１回動レバー４０が反時計回りに回動する。このとき、第１アーム４２の下端部が後方へ移動する。
【００３８】
図５に示すように、球受けガイド部材１４０は、前後方向に長く且つ上下方向に薄くなった扁平構造をなして、直動リンク３３の下方位置に配置されている。図８に示すように、球受けガイド部材１４０は、上方から見たときに前方に開放した略「コ」の字状のスライドベース１４１と、スライドベース１４１の両側辺１４１Ｈ，１４１Ｈの前端部同士を連絡するガイドプレート１４２とを備えている。そして、スライドベース１４１とガイドプレート１４２とに囲まれた部分に、遊技球を１つだけ受容可能な幅の入賞ガイド孔１４５が形成されている。
【００３９】
図５及び図８に示すように、ガイドプレート１４２の両側部には、左右方向の外側へ下るように傾斜した上面を有するサイド傾斜部１４２Ｋ，１４２Ｋが形成され、それらサイド傾斜部１４２Ｋ，１４２Ｋに挟まれた部分（即ち、ガイドプレート１４２における左右方向の中央部）に、球受け部１４３が形成されている。球受け部１４３は、後方に下るように緩やかに傾斜した上面を有する緩傾斜部１４３Ａと、前後方向で緩傾斜部１４３Ａと入賞ガイド孔１４５とに挟まれ且つ緩傾斜部１４３Ａよりも急勾配で後方へ下るように傾斜した上面を有する急傾斜部１４３Ｂと、で構成されている（図６参照）。そして、ガイドプレート１４２に下方から受け止められた遊技球は、ガイドプレート１４２の左右方向の両端部では、サイド傾斜部１４２Ｋ，１４２Ｋによってガイドプレート１４２の側方に落とされ、ガイドプレート１４２の左右方向の中央部、即ち、球受け部１４３では、緩傾斜部１４３Ａ、急傾斜部１４３Ｂを経て入賞ガイド孔１４５へ案内されるようになっている。
【００４０】
図８に示すように、ガイドプレート１４２の前端部には、前側が先細りとなった三角形状の尖り部１４４が形成されている。尖り部１４４の頂点１４４Ｔは、ガイドプレート１４２の左右方向の中央からずれた位置に配置されている。なお、本実施形態では、尖り部１４４の頂点１４４Ｔは、前方から見たときにガイドプレート１４２の右側部分に配置されている。
【００４１】
球受け部１４３における急傾斜部１４３Ｂの上面は、左右方向で尖り部１４４の頂点１４４Ｔが配された側の面積が大きくなるような非対称な形状となっている。具体的には、急傾斜部１４３Ｂの上面は、前側に膨出し且つ左右対称な三日月の左側の後端部を切除した形状をなし、右側部分の面積が左側部分の面積よりも大きい左右非対称形状になっている。そして、本実施形態では、急傾斜部１４３Ｂの上面によって本発明に係る誘導傾斜部１４３Ｍが形成されている。
【００４２】
スライドベース１４１の両側辺１４１Ｈ，１４１Ｈの上部には、外側に開放した連結凹部１４１Ａ，１４１Ａが陥没形成されている。連結凹部１４１Ａ，１４１Ａには、１対の第１アーム４２，４２の下端部における互いの対向面から突出したアーム突部４２Ｔ，４２Ｔが係合している。これにより、第１回動レバー４０が回動して第１アーム４２が前後方向に移動したときに、その第１アーム４２の動きに伴って球受けガイド部材１４０も前後方向に移動するようになっている。以下では、図６に示した球受けガイド部材１４０の位置を「退避位置」と、図７に示した球受けガイド部材１４０の位置を「突出位置」と呼ぶことにする。
【００４３】
図５及ぶ図６に示すように、ハウジング３１は、大箱部３１Ａの上に小箱部３１Ｂを備えた構造になっていて、小箱部３１Ｂに直動リンク３３を前後動可能に収容し、大箱部３１Ｂに球受けガイド部材１４０を前後動可能に収容する。大箱部３１Ａと小箱部３１Ｂは、前端部で連通し、第１回動レバー４０は、大箱部３１Ａと小箱部３１Ｂとに跨って収容されている。図６及び図７に示すように、ハウジング３１の前面の下側部分には、バックプレート１６０のプレート開口１６０Ａ（図４参照）に連通する前面開口３１Ｚが形成され、球受けガイド部材１４０は、退避位置でバックプレート１６０の前面より後側に配置され、突出位置でバックプレート１６０よりも前方に突出する。また、小箱部３１Ｂの後端部には後側に開放した後端開口３１Ｋが形成され、その後端開口３１Ｋの開口縁から後側に取付片３９（図４参照）が延設されている。そして、上述したソレノイド３２は、小箱部３１Ｂの後端開口３１Ｋからプランジャ３２Ｂが小箱部３１Ａ内に突入するように、取付片３９に固定されている。なお、図６及び図７では、取付片３９は省略して示されている。
【００４４】
大箱部３１Ａの前後方向の中央部には、下方に開放した入賞孔１４６が形成されていて、大箱部３１Ａの下部には、入賞孔１４６を通過した遊技球を検出するための球検出センサ１４６Ｓが取り付けられている。また、大箱部３１Ａの底壁のうち入賞孔１４６より前側部分には、後下がりに傾斜した誘導スロープ１４７が形成されている。誘導スロープ１４７は、球受けガイド部材１４０の前後位置に拘わらず、入賞ガイド孔１４５の下方に配置される。従って、球受けガイド部材１４０の入賞ガイド孔１４５に受容された遊技球は、入賞孔１４６を通過し、入賞が確定するようになっている。
【００４５】
なお、本実施形態では、スライドベース１４１のうち入賞ガイド孔１４５が形成された部分によってガイド領域Ｒ２が形成され、球受け部１４３が形成された部分によって球受け領域Ｒ３が形成されている（図８参照）。また、入賞孔１４６が本発明の「入球確定部」に相当する。
【００４６】
図５及び図６に示すように、ハウジング３１の小箱部３１Ｂの前端部には、ソレノイド３２からの動力を受けて回動する第２回動レバー５０（本発明の「押出部材」に相当する。）が組み付けられている。第２回動レバー５０は、直動リンク３３の上方で左右方向に延び且つハウジング３１に回動可能に支持された第２回動シャフト５１と、第２回動シャフト５１の両側部から下方へ延びて直動リンク３３の連結盤３５を左右方向に挟む１対の第２アーム５２，５２と、連結盤３５の下方で１対の第２アーム５２，５２の下端部同士を連絡する連絡バー５３と、を備えている。なお、本実施形態では、第２回動シャフト５１が本発明に係る「押出部材」の「回動軸」に相当する。
【００４７】
第２アーム５２は、ソレノイド３２がオフした状態で、斜め前下方に下るように配置されている。また、連絡バー５３は、ハウジング３１の前面開口３１Ｚの上端縁より下側に配置され、前面開口３１Ｚに一部突入している。
【００４８】
連絡バー５３の左右方向の中央部からは、押出突起５４が前方に突出している。押出突起５４を側方から見た形状は、前側に尖った略三角形状になっている。なお、押出突起５４は、ソレノイド３２がオフした状態で、バックプレート１６０の前面とほぼ同じ前後位置に配置される。
【００４９】
図６に示すように、第２回動シャフト５１の前端部からは、回動規制突部５７が下方に突出している。回動規制突部５７は、ソレノイド３２がオフした状態で、連結盤３５の前端連絡壁３５Ａに上方から突き合わされる。これにより、ソレノイド３２がオフした状態で、遊技球が衝突する等して第２回動レバー５０を後側へ押す力が作用しても、回動規制突部５７が前端連絡壁３５Ａと当接して、回動レバー５０の回動が規制される。なお、詳細には、回動規制突部５７は、下方へ向かうにつれて前後方向の幅が狭くなる先細り形状になっている。
【００５０】
第２回動シャフト５１の後端部からは、係合突部５６が下方に突出している。そして、係合突部５６の先端部が連結盤３５の第２連結孔３７に受容されることで、直動リンク３３の前後方向の移動に伴って第２回動レバー５０が回動する。具体的には、図６から図７への変化に示すように、ソレノイド３２がオンして直動リンク３３が後側へ移動すると、連結盤３５の前端連絡壁３５Ａが係合突部５６を後側へ押し、第２回動レバー５０が第２回動シャフト５１を中心にして反時計方向に回動する。図７に示すように、直動リンク３３が可動ストロークの後端位置に配置されると、係合突部３５は、第２連結孔３７の上方へ抜けて、前端連絡壁３５Ａの上方に配置される。この状態で、第２アーム５２は、略鉛直に配置され、押出突起５４の下面５４Ｋは、略水平に配置される。なお、係合突部５６と上述の回動規制突部５７とは共に、第２回動レバー５０の左右方向の中央部に配置され、係合突部５６と回動規制突部５７とは左右方向にずらして配置されている。
【００５１】
ここで、上述した回動規制突部５７の第２回動シャフト５１からの突出量は、係合突部５６の第２回動シャフト５１からの突出量よりも若干大きくなっていて、図７に示す状態で、回動規制突部５７の下端部は、前端連絡壁３５Ａの前方に配置される。そして、ソレノイド３２がオフすると、前端連絡壁３５Ａが回動規制突部５７を前方に押し、第２回動レバー５０が時計方向に回動する。直動リンク３３が可動ストロークの前端位置に配置されると、第２回動レバー５０は、図６に示す状態に戻る。
【００５２】
次に、サイド始動入賞口ユニット３０の動作について説明する。サイド始動入賞口ユニット３０は、通常は、ソレノイド３２がオフした状態になっていて、図６に示すように、球受けガイド部材１４０は、退避位置に配置され、第２回動レバー５０の下端部（押出突起５４）は、球受けガイド部材１４０の球受け部１４３の上方に配置されている。
【００５３】
始動ゲート１８（図２参照）を遊技球が通過したことに起因してソレノイド３２がオンすると、図６から図７への変化に示すように、球受けガイド部材１４０が退避位置から突出位置に移動して、球受け部１４３がプレート開口１６０Ａ（図４参照）から前方に突出する。このとき、第２回動レバー５０は、第２回動シャフト５１を中心にして押出突起５４が後側へ向かうように回動すると共に、入賞ガイド孔１４５の上方に配置される。なお、バックプレート１６０の前方には、遊技球が１つだけ通過可能な間隔をあけてフロントプレート１５４（図４参照）が配置されているが、球受けガイド部材１４０の前端部は、前側が先細りとなった尖り部１４４で構成されているので、球受けガイド部材１４０がフロントプレート１５４との間に遊技球を挟み込んで球噛みを起こすことが抑制されている。
【００５４】
図９に示すように、球受けガイド部材１４０が突出位置に配置された状態で、球受けガイド部材１４０の球受け部１４３の上方から遊技球が流下してくると、その遊技球は、球受け部１４３に受け止められて入賞ガイド孔１４５へと誘導される。なお、第２回動レバー５０の下端部（押出突起５４）と球受け部１４３との間には、遊技球が１つ通過可能な隙間が形成されていて、球受け部１４３に受け止められた遊技球は、第２回動レバー５０と干渉することなく入賞ガイド孔１４５へ移動可能となっている。
【００５５】
ここで、上述したように、尖り部１４４の頂点１４４Ｔは、左右方向の一方側（前方から見た右側）に寄せて配置されている（図８参照）ので、尖り部１４４の頂点１４４Ｔが配された側（前方から見て右側）を流下してきた遊技球は、頂点１４４Ｔから離れた側（前方から見て左側）を流下してきた遊技球よりも、球受け部１４３に受け止められ易くなっている。そして、球受け部１４３の急傾斜部１４３Ｂは、尖り部１４４の頂点１４４Ｔ側の面積が広くなるような左右非対称形状になっているので、球受け部１４３は、尖り部１４４の頂点１４４Ｔが配された側で受け止めた遊技球を入賞ガイド孔１４５へと案内させ易くなっている。
【００５６】
図９に示すように、入賞ガイド孔１４５に受容された遊技球は、ハウジング３１の誘導スロープ１４７によって入賞孔１４６へと案内される。ここで、第２回動レバー５０の下端部（押出突起５４）と誘導スロープ１４７との間には、遊技球が１つ通過可能な隙間が形成されていて、入賞ガイド孔１４５に受容された遊技球は、第２回動レバー５０と干渉することなく入賞孔１４６へ移動可能となっている。
【００５７】
ソレノイド３２がオンした状態で所定条件が成立すると、ソレノイド３２がオフする。ソレノイド３２がオフすると、図１０に示すように、球受けガイド部材１４０が突出位置から退避位置に移動し、球受け部１４３がバックプレート１６０の前面より後側に引っ込んだ状態となる。また、第２回動レバー５０は、押出突起５４が前側へ向かうように回動すると共に、球受け部１４３の上方に配置される。このとき、第２回動レバー５０の下端部（押出突起５４）と球受け部１４３との間の間隔は、遊技球１つ分より狭くなっている。
【００５８】
ここで、入賞ガイド孔１４５に受容された遊技球がある場合、第２回動レバー５０（押出突起５４）は、その遊技球の上方を通過する。従って、入賞ガイド孔１４５に受容された遊技球は、そのまま、入賞を許容される。一方、球受け部１４３上に遊技球がある場合、第２回動レバー５０（押出突起５４）は、その遊技球を前方に押し出して、バックプレート１６０のプレート開口１６０Ａ（図４参照）から排出する。このように、本実施形態では、第２回動レバー５０が、いったん入賞ガイド孔１４５に受容された遊技球については、そのまま入賞を許容し、球受け部１４３に受け止められたものの入賞ガイド孔１４５に未受容の遊技球については、入賞を規制するようになっている。
【００５９】
なお、上述したように、押出突起５４は、球受けガイド部材１４０における左右方向中央の上方に配置されているので、球受け部１４３上の遊技球を真っ直ぐ前方に押し出すことが可能となる。特に、本実施形態では、図４に示すように、フロントプレート１６０の前面開口１６０Ａの両側の開口縁に、遊技球を鉛直方向下方へ案内するガイド突状１６０Ｔ，１６０Ｔを備えた構成となっているので、球受け部１４３から押し出した遊技球がガイド突状１６０Ｔと干渉することが抑制され、遊技球の押し出しをスムーズに行うことが可能となる。
【００６０】
また、球受けガイド部材１４０の前端に位置する尖り部１４４の頂点１４４Ｔは、左右方向で押出突起５４からずれた位置に配置されているので、球受け部１４３上にある遊技球を押し出す際に、尖り部１４４と押出突起５４との間で遊技球が詰まることが抑制可能となる。しかも、押出突起５４の下面５４Ｋは、球受けガイド部材１４０が突出位置に配置されたときには、略水平になっていて（図９参照）、球受けガイド部材１４０が退避位置へ向かう過程で後下がりに傾斜する（図１０参照）。ここで、球受けガイド部材１４０が退避位置にあるときの押出突起５４の下面５４Ｋの傾斜は、球受け部１４３の緩傾斜部１４３Ａよりも急になっているので、押出突起５４と球受け部１４３との間で球詰まりが発生し難くなっている。
【００６１】
さらに、尖り部１４４を左右非対称にしたことで、球受け部１４３の緩傾斜部１４３Ａの上面は、左側と右側とで面積が異なる。これにより、例えば、球受け部１４３に受け止められた遊技球が入賞ガイド孔１４５へ移動した後、緩傾斜部１４３Ａのうち左右方向で面積が広い側（右側）に後続の遊技球が受け止められた場合には、その後続の遊技球は、多少揺れた状態を維持するので、後続の遊技球が球受け部１４３上に配置される時間を稼ぐことが可能となる。また、緩傾斜部１４３Ａのうち左右方向で面積が広い側（右側）から狭い側（左側）へ後続の遊技球を移動させて後続の遊技球を球受け部１４３から落下させることも可能となる。さらに、緩傾斜部１４３Ａのうち左右方向で面積が狭い側（左側）で後続の遊技球が受け止められた場合には、第２回動レバー５０で前側に押し出すことなく球受け部１４３から落下させることも可能となる。なお、緩傾斜部１４３Ａのうち左右方向で面積が狭い側（左側）の大きさは、流下してくる遊技球を受け止めることができない大きさであってもよい。
【００６２】
本実施形態の遊技機１０の構成に関する説明は以上である。次に、遊技機１０の作用効果について説明する。
【００６３】
本実施形態の遊技機１０では、球受けガイド部材１４０が突出位置から退避位置へ移動するときに、球受けガイド部材１４０の球受け領域Ｒ３（球受け部１４３）にある遊技球については、第２回動レバー５０により前側に押し出されて入賞が阻まれる。一方、球受け領域Ｒ３の後側に位置するガイド領域Ｒ２（入賞ガイド孔１４５）にある遊技球については、第２回動レバー５０に押し出されることなく入賞が許可される。
【００６４】
このように、本実施形態の遊技機１０によれば、複数の遊技球が球受けガイド部材１４０に受け止められた場合であっても、一部の遊技球については、前側に押し出して入賞を阻むので、サイド始動入賞口１４Ｂでの球詰まりを抑制することが可能となる。本実施形態の構成は、例えば、遊技球を所定個数だけ入賞させたい場合（具体的には、入賞する遊技球が所定個数より多い又は少ないときに、開発者が意図している設計とは異なるような有利又は不利が生じたり、遊技者又は遊技店側が有利又は不利となる場合が挙げられる。）に、特に効果を発揮するものである。
【００６５】
また、本実施形態では、球受けガイド部材１４０の後退に伴って前方に回動する第２回動レバー５０によって遊技球を前側に押し出すので、遊技球を勢いよく前側に押し出すことが可能となる。この構成では、複数の遊技球が球受け部１４３上にある場合であっても、それら複数の遊技球を押し出すことが可能となる。さらに、本実施形態では、球受けガイド部材１４０に、遊技球を受容して入賞孔１４６へ案内可能な入賞ガイド孔１４５によってガイド領域Ｒ２が形成されているので、ガイド領域Ｒ２内の遊技球と第２回動レバー５０との干渉を避け易くすることが可能となる。
【００６６】
［第２実施形態］
以下、本発明の第２実施形態を図１１〜図１２に基づいて説明する。本実施形態は、上記第１実施形態を変形したものであり、図１１に示すように、第２回動レバー５０の代わりに、ハウジング３１に固定された押出突部６０を備えている。押出突部６０は、ハウジング３１の前面開口３１Ｚの上縁部から後側に突出すると共に下方に迫り出し、誘導スロープ１４７との間に遊技球が通過可能な間隔をあけて配置される。図１１に示すように、球受けガイド部材１４０が突出位置に配置された状態では、押出突部６０は、入賞ガイド孔１４５の上方に配置され、球受け部１４３との間に遊技球が通過可能な隙間を有する。なお、押出突部６０のうち下方に迫り出した部分の前面は、後下がりに傾斜した傾斜面６０Ｋとなっていて、押出突部６０と球受け部１４３との間の球噛み防止が図られている。
【００６７】
図１２に示すように、球受けガイド部材１４０が退避位置に配置されると、押出突部６０は、球受け部１４３の上方に配置される。このとき、押出突部６０と球受け部１４３との間の間隔は遊技球１個分よりも小さくなっていて、サイド始動入賞口１４Ｂ（第１実施形態の図４参照）に遊技球が入球困難となっている。
【００６８】
本実施形態では、球受けガイド部材１４０が突出位置から退避位置へ移動するときに、球受け部１４３上に遊技球があると、その遊技球は、押出部材６０によって前方に押し出されて入賞を規制される。一方、入賞ガイド孔１４５に遊技球があると、その遊技球は、押出部材６０の下方を潜るように移動して入賞を許容される。これにより、サイド始動入賞口１４Ｂ（第１実施形態の図４参照）での球詰まりを抑制することが可能となる。即ち、本実施形態によれば、上記第１実施形態と同様の効果を奏することが可能となる。
【００６９】
［第３実施形態］
以下、本発明の第３実施形態を図１３に基づいて説明する。本実施形態は、上記第１実施形態を変形したものであり、主として、「球受けガイド部材」及び「第２回動レバー」の構成が異なっている。
【００７０】
図１３（Ａ）に示すように、本実施形態の球受けガイド部材１４０Ｖは、全体が上下方向に扁平な平板状をなし、入賞ガイド孔１４５を有さない点が、上記第１実施形態の球受けガイド部材１４０（図６参照）と異なっている。なお、球受けガイド部材１４０Ｖの上部には、後下がりに傾斜したガイド面１４０Ｇが形成されている。
【００７１】
また、本実施形態の第２回動レバー５０Ｖは、上記第１実施形態の第２回動レバー５０と同様の形状になっていて、左右方向に延びた第２回動シャフト５１Ｖを中心にして回動し、下端部に配置された押出突起５４Ｖが前後方向に移動する。本実施形態の第２回動レバー５０Ｖでは、球受けガイド部材１４０Ｖが退避位置に配置されたときに、第２アーム５２Ｖが略鉛直に配置されて、押出突起５４Ｖが第２回動シャフト５１Ｖの下方に配置される（図１３（Ａ）参照）。この状態で、第２回動レバー５０Ｖの下端部（押出突起５４Ｖ）と球受けガイド部材１４０Ｖとの間の間隔ｄ１は、遊技球の直径Ｄよりも小さくなっている。
【００７２】
球受け部材１４０Ｖが突出位置に配置されると、図１３（Ｂ）に示すように、第２アーム５１Ｖは、後側へ下るように傾斜し、押出突起５４Ｖは、球受けガイド部材１４０Ｖのガイド面１４０Ｇとの間隔を広げるように第２回動シャフト５１Ｖより後側に配置される。この状態で、第２回動レバー５０Ｖの下端部（押出突起５４Ｖ）と球受けガイド部材１４０Ｖのガイド面１４０Ｇとの間の間隔ｄ２は、遊技球の直径Ｄより大きくなっている。
【００７３】
本実施形態では、球受けガイド部材１４０Ｖが退避位置にあるとき、第２回動レバー５０Ｖと球受けガイド部材１４０Ｖとの間を遊技球が通過不能となっていて（図１３（Ａ）参照）、球受けガイド部材１４０Ｖが突出位置へ移動すると、第２回動レバー５０が後側に回動し、第２回動レバー５０Ｖと球受けガイド部材１４０Ｖとの間の間隔が広がる（図１３（Ｂ）参照）。そして、球受けガイド部材１４０Ｖによって受け止められた遊技球は、サイド始動入賞口１４Ｂ（第１実施形態の図４参照）の奥側へと移動して、入賞可能となっている。
【００７４】
球受けガイド部材１４０Ｖが突出位置から退避位置へと移動すると、第２回動レバー５０Ｖが前側に回動し、第２回動レバー５０Ｖと球受けガイド部材１４０Ｖとの間の間隔が狭まる（図１３（Ｂ）から図１３（Ａ）への変化を参照）。このとき、球受けガイド部材１４０Ｖの前側部分の上に位置する遊技球については、第２回動レバー５０Ｖによって前側に押し出されて入賞を規制され、球受けガイド部材１４０Ｖの後側部分の上に位置する遊技球については、そのまま入賞を許容される。これにより、サイド始動入賞口１４Ｂでの球詰まりを抑制することが可能となる。即ち、本実施形態によれば、上記第１実施形態と同様の効果を奏することが可能となる。また、第２回動レバー５０Ｖの回動により遊技球を前側に押し出す構成となっているので、遊技球を勢いよく前側に押し出すことが可能となる。
【００７５】
なお、第２回動レバー５０Ｖは、本発明の「押出部材」及び「回動レバー」に相当する。また、球受けガイド部材１４０のうち、突出位置に配置されたときに第２回動レバー５０Ｖの回動範囲との間隔が遊技球１つ分となる臨界位置Ｐ１よりも前側の部分によって球受け領域Ｒ２が形成され、臨界位置Ｐ１より後側の部分によってガイド領域Ｒ３が形成されている。
【００７６】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７７】
（１）上記実施形態では、本発明の「前面開放入賞部」に係るサイド始動入賞口１４Ｂは、遊技球が１つだけ入球可能な幅に形成されていたが、遊技球が複数入球可能な幅に形成されていてもよい。
【００７８】
（２）上記実施形態では、尖り部１４４の頂点１４４Ｔが球受けガイド部材１４０の左右方向中央からずれた位置に配置され、押出突起５４が球受けガイド部材１４０の左右方向中央の上方に配置された構成になっていたが、尖り部１４４の頂点１４４Ｔが球受けガイド部材１４０の左右方向中央に配置され、押出突起５４が球受けガイド部材１４０の左右方向中央からずれた位置の上方に配置された構成であってもよい。本構成によっても、押出突起５４と尖り部１４４との間の球詰まりを抑制することが可能となる。
【００７９】
（３）上記第１〜第２実施形態では、本発明に係る「ガイド凹部」が球受けガイド部材１４０を貫通する入賞ガイド孔１４５によって構成されていたが、図１４に示すように、球受けガイド部材１４０に前後方向に延びるガイド溝１４５Ｍを形成し、そのガイド溝１４５Ｍによって構成されてもよい。
【００８０】
（４）上記第１及び第３実施形態では、球受けガイド部材１４０，１４０Ｖ及び第２回動レバー５０，５０Ｖは、同じ駆動源（ソレノイド３２）によって駆動される構成であったが、別々の駆動源によって駆動される構成であってもよい。この場合、第２回動レバー５０，５０Ｖは、球受けガイド部材１４０，１４０Ｖの動きに同期して駆動される。
【００８１】
（５）上記実施形態では、本発明の「押出部材」が、前後方向に回動する構成であったが、前後方向に移動する構成であればよく、例えば、直動する構成であってもよい。具体的な例としては、図１５（Ａ）及び図１５（Ｂ）に示すように、直動リンク３３と一体に移動する押出直動突部６１が挙げられる。即ち、球受けガイド部材１４０が突出位置から退避位置へ移動する際に、遊技球が、例えば、１個分通過して、後続の遊技球が入球しないような構成であればよい。
【００８２】
（６）上記実施形態では、本発明の「前面開放入球口」が、入球によって遊技者に賞球を付える入賞口で構成されていたが、例えば、入球した遊技球を使用して演出等を行う演出用役物の入球口で構成されてもよい。
【００８３】
（７）上記実施形態では、球受けガイド部材１４０は、球受け部１４３で遊技球を受け止めてから入賞ガイド孔１４５に案内するように構成されていたが、球受け部１４３を介さずに遊技球が直に入賞ガイド孔１４５へ入球可能な構成であってもよい。
なお、上記実施形態及び他の実施形態（１）〜（７）には、以下の［１］〜［７］の構成が含まれている。
［１］
遊技球が流下可能な遊技盤の前面で開放し且つ奥側に遊技球の入球を確定させる入球確定部を有した前面開放入球部と、
前記前面開放入球部の奥側に退避した退避位置と、前記前面開放入球部の開口から前側に突出した突出位置との間を移動可能であって、前記突出位置に配置されたときに、前記遊技領域を流下してきた遊技球を下方から受け止めて前記入球確定部へ案内可能な球受けガイド部材と、を備えた遊技機において、
前記球受けガイド部材には、前記球受けガイド部材の前端部に位置して遊技球を受け止め可能な球受け領域と、前記球受け領域の後側に位置して遊技球を前記入球確定部へ案内するガイド領域とが設けられ、
前記球受けガイド部材の上方には、前記球受けガイド部材が前記突出位置から前記退避位置に移動するときに、前記ガイド領域にある遊技球の上方に配置されてその遊技球の入球を許容する一方、前記球受け領域にある遊技球を前側に押し出してその遊技球の入球を阻む押出部材を備えたことを特徴とする遊技機。
［１］の構成によれば、球受けガイド部材が突出位置から退避位置へ移動するときに、球受けガイド部材の球受け領域にある遊技球については、押出部材により前側に押し出されて入球が阻まれる。一方、球受け領域の後側に位置するガイド領域にある遊技球については、押出部材に押し出されることなく入球が許可される。このように、本発明によれば、複数の遊技球が球受けガイド部材に受け止められた場合であっても、一部の遊技球については、前側に押し出して入球を阻むので、前面開放入球部での球詰まりを抑制することが可能となる。
［２］
前記球受けガイド部材には、上方に開放した孔又は溝で構成され且つ遊技球を受容して前記入球確定部へ案内可能なガイド凹部と、前記ガイド凹部の前方に位置し且つ遊技球を下方から受け止めて前記ガイド凹部へと案内可能な球受け部とが形成され、
前記球受け領域と前記ガイド領域とは、前記球受け部が形成された領域と前記ガイド凹部が形成された領域とで構成されたことを特徴とする［１］に記載の遊技機。
［２］の構成では、ガイド凹部に受容された遊技球が球受け部上の遊技球よりも下方に配置されることで、押出部材との干渉を避けすことが可能となる。
［３］
前記押出部材は、前記球受けガイド部材の移動に伴って前後方向に移動し、前記球受けガイド部材が前記突出位置に配置されたときに、前記ガイド凹部の上方に配置され、前記球受けガイド部材が前記退避位置に配置されたときに、前記球受け部の上方に配置されることを特徴とする［２］に記載の遊技機。
［３］の構成によれば、球受けガイド部材が突出位置から退避位置へ移動するときに、押出部材が前側へ移動するので、遊技球を前側に押し出すことが可能となる。
［４］  前記押出部材は、左右方向に延びた回動軸を有して、前記球受けガイド部材の移動に伴って下端部が前後方向に移動するように回動する回動レバーであって、
前記回動レバーは、前記球受けガイド部材が前記突出位置に配置されたときに、前記ガイド領域の上方に配置されて前記球受けガイド部材との間に遊技球が通過可能な第１隙間を有し、前記球受けガイド部材が前記退避位置に配置されたときに、前記球受け領域の上方に配置されて前記球受けガイド部材との間に遊技球が通過不能な第２隙間を形成することを特徴とする［１］に記載の遊技機。
［４］の構成では、押出部材が、球受けガイド部材の移動に伴って上端部を中心に前後方向に回動する回動レバーで構成されているので、遊技球を前側に押し出すことが可能となる。
［５］  前記球受けガイド部材の前端部には、先細り形状の尖り部が備えられると共に、
前記押出部材には、前記球受けガイド部材が前記退避位置に配置されたときに、前記尖り部の上方に配置される押出突起が設けられ、
［５］の構成では、球受けガイド部材の尖り部の頂点と、押出部材の押出突起とが、左右方向にずらして配置されているので、尖り部と押出突起との間で遊技球が詰まることを抑制可能となる。
［６］
前記押出突起を、前記球受けガイド部材の左右方向の中央の上方に配置すると共に、
前記尖り部の頂点を、前記球受けガイド部材の左右方向の一方側に寄せて配置したことを特徴とする［５］に記載の遊技機。
［６］の構成では、押出部材と球受けガイド部材の左右方向の中心が同じ位置に配置され、押出突起が左右方向の中央に配置されているので、球受けガイド部材の球受け領域にある遊技球を真っ直ぐ前方に押し出すことが可能となる。そして、球受けガイド部材の尖り部は、頂点が左右の一方側に寄せて配置された左右非対称な形状となっているので、押出部材によって押し出された遊技球を下方へ落下させ易くすることが可能となる。
［７］
前記球受け領域の上面のうち前記ガイド領域側の端部に、後下がりに傾斜して遊技球を前記ガイド領域へ誘導する誘導傾斜部を形成すると共に、前記球受け領域の上面のうち前記誘導傾斜部の前方に配置された部分を平坦にするか又は前記誘導傾斜部よりも緩勾配で後下がりに傾斜させ、
前記誘導傾斜部の平面形状を、前記尖り部の頂点側の面積が広くなる左右非対称形状としたことを特徴とする［６］に記載の遊技機。
［７］の構成によれば、球受け領域のうち尖り部の頂点が配された側に受け止められた遊技球を誘導傾斜部によってガイド領域へと案内させやすくすることが可能となる。
【符号の説明】
【００８４】
１０    遊技機
１１    遊技盤
１４Ｂ    サイド始動入賞口（前面開放入球部）
５０，５０Ｖ    第２回動レバー（押出部材）
５４，５４Ｖ    押出突起
６０    押出突部
１４０，１４０Ｖ    球受けガイド部材
１４３    球受け部
１４５    入賞ガイド孔
Ｒ１    遊技領域
Ｒ２    球受け領域
Ｒ３    ガイド領域
【図１】
0006048698.tif 000002
【図２】
0006048698.tif 000003
【図３】
0006048698.tif 000004
【図４】
0006048698.tif 000005
【図５】
0006048698.tif 000006
【図６】
0006048698.tif 000007
【図７】
0006048698.tif 000008
【図８】
0006048698.tif 000009
【図９】
0006048698.tif 000010
【図１０】
0006048698.tif 000011
【図１１】
0006048698.tif 000012
【図１２】
0006048698.tif 000013
【図１３】
0006048698.tif 000014
【図１４】
0006048698.tif 000015
【図１５】
0006048698.tif 000016